(57)【特許請求の範囲】
【請求項１】
シャッタを閉塞した状態で撮像素子に発生する画像信号を検出する暗露光実行手段と、
前記撮像素子に入射する光量を調整するための絞りと、
前記絞りの開度を調整する絞り駆動手段とを備え、
前記絞り駆動手段は、前記暗露光実行手段の動作時に前記絞りの開度を、本露光における開度よりも縮小可能であり、
前記暗露光実行手段は前記撮像素子の感度が所定値を越えているか否かを判定する感度判定手段を備え、前記感度判定手段が、前記感度が所定値を越えていると判定したとき、前記絞り駆動手段は前記絞りを縮小し、前記感度判定手段が、前記感度が所定値以下であると判定したとき、前記絞り駆動手段は前記絞りを維持することを特徴とする暗露光制御装置。
【請求項２】
前記絞り駆動手段は、前記暗露光実行手段の動作時に前記絞りの開口面積を、本露光における開口面積の２分の１以下にすることを特徴とする請求項１に記載の暗露光制御装置。
【請求項３】
前記絞り駆動手段は、前記暗露光実行手段の動作時に前記絞りの開度を最小絞りにすることを特徴とする請求項１に記載の暗露光制御装置。
【請求項４】
前記撮像素子に対する露光時間と、前記撮像素子の感度と、前記撮像素子の温度とに基づいて、前記暗露光実行手段を動作させるか否かを判定する第１の暗露光判定手段を備えることを特徴とする請求項１に記載の暗露光制御装置。
【請求項５】
前記絞り駆動手段は、前記第１の暗露光判定手段が前記撮像素子の感度が所定値を越えていると判定した場合に前記絞りを縮小することを特徴とする請求項４に記載の暗露光制御装置。
【請求項６】
前記撮像素子に対する露光時間のみに基づいて、前記暗露光実行手段を動作させるか否かを判定する第２の暗露光判定手段を備えることを特徴とする請求項１に記載の暗露光制御装置。
【請求項７】
前記撮像素子に対する露光時間と、前記撮像素子の感度と、前記撮像素子の温度とに基づいて、本露光を電子制御により時間的に分割して実行する必要があるか否かを判定する第１の分割露光判定手段を備え、前記暗露光実行手段は、前記第１の分割露光判定手段が分割露光の必要があると判定した場合、本露光における分割露光の回数と同じ回数だけ暗露光を時間的に分割して実行することを特徴とする請求項１に記載の暗露光制御装置。
【請求項８】
前記絞り駆動手段は、前記暗露光の分割露光において前記絞りの開度を最小絞りにすることを特徴とする請求項７に記載の暗露光制御装置。
【請求項９】
前記暗露光の１回目の分割露光において前記撮像素子に光の漏れ込みがあったか否かを判定する光漏れ検出手段を備え、前記光漏れ検出手段によって前記漏れ込みがあったと判定された場合、前記絞り駆動手段は、前記暗露光の２回目以降の分割露光において前記絞りの開度を最小絞りにすることを特徴とする請求項７に記載の暗露光制御装置。
【請求項１０】
前記撮像素子に対する露光時間のみに基づいて、本露光を電子制御により時間的に分割して実行する必要があるか否かを判定する第２の分割露光判定手段を備え、前記暗露光実行手段は、前記第２の分割露光判定手段が分割露光の必要があると判定した場合、本露光における分割露光の回数と同じ回数だけ暗露光を時間的に分割して実行することを特徴とする請求項１に記載の暗露光制御装置。
【請求項１１】
前記絞り駆動手段は、前記暗露光の分割露光において前記絞りの開度を最小絞りにすることを特徴とする請求項１０に記載の暗露光制御装置。
【請求項１２】
前記暗露光の１回目の分割露光において前記撮像素子に光の漏れ込みがあったか否かを判定する光漏れ検出手段を備え、前記光漏れ検出手段によって前記漏れ込みがあったと判定された場合、前記絞り駆動手段は、前記暗露光の２回目以降の分割露光において前記絞りの開度を最小絞りにすることを特徴とする請求項１０に記載の暗露光制御装置。
【発明の詳細な説明】
【技術分野】
【０００１】
本発明はデジタルカメラに設けられる撮像素子の露光を制御する装置に関し、より詳しくは撮像素子に発生した暗電流による画像信号のノイズ成分を検出するために、暗露光を制御する装置に関する。
【背景技術】
【０００２】
暗電流は受光していない状態において撮像素子に発生するものであり、露光時間が長くなるほど、撮影画像に対する影響が大きくなる。そこで従来、本露光を実行する度に暗露光を行い、暗露光により得られた画像データを本露光による画像データから減算して、暗電流の影響を低減させる装置が知られている（特許文献１）。この装置では、暗露光はシャッタ幕を閉じた状態で行われ、撮像素子に生じた暗電流による画像信号のノイズ成分を検出している。
【先行技術文献】
【特許文献】
【０００３】
【特許文献１】特開平８−５１５７１号公報
【発明の概要】
【発明が解決しようとする課題】
【０００４】
暗露光において、シャッタ幕を閉じるだけでは遮光が不十分な場合がある。例えば天体撮影を行っているときに撮影場所の近くを自動車が通り、そのヘッドライトの強い光が撮影レンズから入射した場合、シャッタ幕を通って撮像素子の受光面に漏れ込むことがある。従来の一眼レフカメラでは、暗露光はミラーがダウン状態にあるため、撮影レンズを通った光のいくらかはミラーによって遮られ、撮像素子に入射する光は比較的少ない。しかし近年開発されているミラーレス型カメラでは、撮影レンズを通った光は直接シャッタ幕に当たるため、撮像素子に入射するおそれが強い。
【０００５】
本発明は、暗露光を実行している間に強い光が撮影レンズに入り込むような状況であっても、撮像素子へ入射する光量を大幅に減少させることができる暗露光制御装置を提供することを目的としている。
【課題を解決するための手段】
【０００６】
本発明に係る暗露光制御装置は、シャッタを閉塞した状態で撮像素子に発生する画像信号を検出する暗露光実行手段と、撮像素子に入射する光量を調整するための絞りと、絞りの開度を調整する絞り駆動手段とを備え、絞り駆動手段は、暗露光実行手段の動作時に前記絞りの開度を、本露光における開度よりも縮小可能である特徴としている。
【０００７】
絞り駆動手段は、暗露光実行手段の動作時に絞りの開口面積を、本露光における開口面積の２分の１以下にしてもよく、あるいは絞りの開度を最小絞りにしてもよい。
【０００８】
暗露光制御装置は、撮像素子に対する露光時間と、撮像素子の感度と、撮像素子の温度とに基づいて、暗露光実行手段を動作させるか否かを判定する第１の暗露光判定手段を備えてもよい。この場合、絞り駆動手段は、第１の暗露光判定手段が撮像素子の感度が所定値を越えていると判定した場合に絞りを縮小するように構成されてもよい。
【０００９】
撮像素子に対する露光時間のみに基づいて、暗露光実行手段を動作させるか否かを判定する第２の暗露光判定手段を備えてもよい。これはバルブ撮影において効果的である。
【００１０】
暗露光装置は、撮像素子に対する露光時間と、撮像素子の感度と、撮像素子の温度とに基づいて、本露光を電子制御により時間的に分割して実行する必要があるか否かを判定する第１の分割露光判定手段を備えてもよい。この場合、暗露光実行手段は好ましくは、第１の分割露光判定手段が分割露光の必要があると判定した場合、本露光における分割露光の回数と同じ回数だけ暗露光を時間的に分割して実行する。また、第１の分割露光制御手段を備える構成では、絞り駆動手段は、暗露光の分割露光において絞りの開度を最小絞りにしてもよい。あるいは暗露光制御装置は、暗露光の１回目の分割露光において撮像素子に光の漏れ込みがあったか否かを判定する光漏れ検出手段をさらに備えてもよく、光漏れ検出手段によって漏れ込みがあったと判定された場合、絞り駆動手段は、暗露光の２回目以降の分割露光において絞りの開度を最小絞りにすることが好ましい。
【００１１】
暗露光制御装置は、撮像素子に対する露光時間のみに基づいて、本露光を電子制御により時間的に分割して実行する必要があるか否かを判定する第２の分割露光判定手段を備えてもよい。この場合、暗露光実行手段は、第２の分割露光判定手段が分割露光の必要があると判定した場合、本露光における分割露光の回数と同じ回数だけ暗露光を時間的に分割して実行する。これはバルブ撮影において効果的である。また、絞り駆動手段は、暗露光の分割露光において絞りの開度を最小絞りにしてもよく、暗露光の１回目の分割露光において撮像素子に光の漏れ込みがあったか否かを判定する光漏れ検出手段を備えており、光漏れ検出手段によって漏れ込みがあったと判定された場合、絞り駆動手段が、暗露光の２回目以降の分割露光において絞りの開度を最小絞りにしてもよい。
【発明の効果】
【００１２】
本発明によれば、暗露光を実行している間に強い光が撮影レンズに入り込むような状況であっても、撮像素子へ入射する光量を低減させることができる。
【図面の簡単な説明】
【００１３】
【図１】本発明の第１〜第３の実施形態に共通である一眼レフ・デジタルカメラの概略的な構成を示すブロック図である。
【図２】第１の実施形態における通常の撮影モードの制御ルーチンを示すフローチャートである。
【図３】第１の実施形態におけるバルブ撮影モードの制御ルーチンを示すフローチャートである。
【図４】第２の実施形態における通常の撮影モードの制御ルーチンを示すフローチャートである。
【図５】第２の実施形態におけるバルブ撮影モードの制御ルーチンを示すフローチャートである。
【図６】第３の実施形態における通常の撮影モードの制御ルーチンを示すフローチャートである。
【図７】第３の実施形態におけるバルブ撮影モードの制御ルーチンを示すフローチャートである。
【発明を実施するための形態】
【００１４】
以下、本発明の実施形態を図面を参照して説明する。図１は一眼レフ・デジタルカメラの概略的な構成を示すブロック図であり、このデジタルカメラの構成は第１〜第３の実施形態に共通である。
【００１５】
撮影レンズ１１、１２の間には絞り１３が設けられ、撮影レンズ１１、１２の後方にはミラー１４とシャッタ幕１５と撮像素子１６が設けられる。ミラー１４の上方にはプリズム１７が配設される。プリズム１７の下側にはピントガラス１８が設けられ、プリズム１７の背面側には対物レンズ１９が設けられる。
【００１６】
撮影レンズ１１、１２の光軸Ｘ上における位置はレンズ制御回路２１によって制御され、焦点調節あるいはズーミング動作が行われる。絞り１３の開度は絞り駆動回路２２によって調整され、撮像素子１６に入射する光量が調整される。ミラー１４の回動はミラー駆動回路２３によって駆動され、シャッタ幕１５の開閉はシャッタ駆動回路２４によって駆動される。撮影レンズ１１、１２の合焦状態はＡＦセンサ２５によって検出され、被写体の明るさは測光センサ２６によって検出される。ＡＦセンサ２５と測光センサ２６の検出信号はそれぞれＣＰＵ３１に入力される。これらの検出信号に基づいて、ＣＰＵ３１により、レンズ制御回路２１と絞り駆動回路２２とミラー駆動回路２３とシャッタ駆動回路２４が制御され、撮影動作が実行される。
【００１７】
ＣＰＵ３１にはシャッタボタン、モードダイアル等の操作部材３２と、液晶モニタ等の状態表示装置３３が接続される。操作部材３２によって、撮影モードが決定されるだけでなく、シャッタスピードおよび絞り値が設定され、また撮影動作が実行される。状態表示装置３３には、そのときの撮影モード、シャッタスピード、絞り値等が表示される。
【００１８】
撮像素子１６の基板には温度センサ２８が取り付けられており、これにより撮像素子１６の温度が検知されてＣＰＵ３１に入力される。撮像素子１６の撮像動作すなわち電荷蓄積動作および画像信号の読出し動作は画像処理回路（ＤＳＰ）４１により制御され、撮影により撮像素子１６に発生した画像信号はＤＳＰ４１において所定の画像処理を施される。
【００１９】
ＤＳＰ４１にはメモリ４２とカードインターフェース４３とモニタインターフェース４４が接続される。モニタインターフェース４４には液晶駆動回路４５が接続され、液晶駆動回路４５には液晶モニタ（ＬＣＤ）４６とバックライト４７が接続される。画像処理された画像信号はメモリ４２に格納されるほか、カードインターフェース４３に接続されたカードメモリ（図示せず）に記録可能であり、またＬＣＤ４６によって表示される。
【００２０】
図２は第１の実施形態における通常の撮影モードの制御ルーチンを示すフローチャートである。ステップ１０１では、操作部材３２を操作することによって、撮像素子１６の感度、シャッタスピード（Ｔｖ）等の撮影条件が設定される。シャッタボタンが全押しされることによってステップ１０２が実行され、撮影が開始される。ステップ１０３では、各種撮影条件により長秒ＮＲ（ノイズリダクション）が必要か否か判定される。ここで各種撮影条件とは、露光時間（シャッタスピード）、撮像素子１６の感度、撮像素子１６の温度である。また長秒ＮＲとは、露光時間が例えば数１０秒以上におよぶ場合等において、シャッタ幕１５を閉塞した状態（すなわち暗露光）で撮像素子１６に発生する暗電流に起因して生じる画像信号のノイズ成分を除去するための制御である。つまり、このノイズ成分はＤＳＰ４１だけでは処理しきれない画素欠陥であり、長秒ＮＲによって補正される。
【００２１】
ステップ１０３において長秒ＮＲが必要であると判断されなかったとき、ステップ１０４へ進み、本露光のみが行われる。すなわち暗露光が実行されることなく、通常の撮影動作が行われる。ステップ１０５では、撮像素子１６から画像信号が出力され、ＤＳＰ４１において画像処理が施されて撮影動作は終了する。
【００２２】
ステップ１０３において長秒ＮＲが必要であると判断されたとき、ステップ１０６へ進み、本露光が行われた後、絞り１３の開度が最小絞りに設定され、暗露光が行われる。より具体的には、本露光の後、シャッタ幕１５が全閉状態に定められるとともに、絞り１３の開度が最小値に定められ、この間に撮像素子１６に発生するノイズ成分である画像信号が検出されてＤＳＰ４１に出力される。なお暗露光の時間は本露光と同じ長さであってもよいが、本露光よりも短い時間に定め、演算により、本露光の露光時間に相当するノイズ成分を求めてもよい。
【００２３】
ステップ１０７では、ＤＳＰ４１において、本露光の画像データから暗露光の画像データ（ノイズ成分）が減算され、本露光の画像データに対する補正が行われる。次いでステップ１０５が実行され、撮影動作は終了する。
【００２４】
図３は第１の実施形態におけるバルブ撮影モードの制御ルーチンを示すフローチャートである。ステップ２０１では、操作部材３２を操作することによって撮像素子１６の感度が設定される。シャッタボタンが全押しされることによってステップ２０２が実行され、撮影すなわち本露光が開始される。本露光は撮影者がシャッタボタンを押し続けている間継続され、シャッタボタンが解放されるとステップ２０３が実行されて本露光は終了する。
【００２５】
ステップ２０４では、各種撮影条件により長秒ＮＲが必要であるか否か判定されるが、ここでは本露光における露光時間が所定値を越えているときに長秒ＮＲが必要であると判定される。すなわち図２に示す通常の撮影モードと異なり、撮像素子１６に対する露光時間のみに基づいて暗露光の要否が判断される。長秒ＮＲが不要であると判定された場合、ステップ２０５が実行されて撮像素子１６から画像信号が出力され、ＤＳＰ４１において画像処理が施されて撮影動作は終了する。
【００２６】
ステップ２０４において長秒ＮＲが必要であると判定された場合、ステップ２０６へ進み、絞り１３の開度が最小絞りに設定され、暗露光が行われる。この間に撮像素子１６に発生する画像信号が検出されてＤＳＰ４１に出力される。次いでステップ２０７では、ＤＳＰ４１において、本露光の画像データから暗露光の画像データが減算され、本露光の画像データに対する補正が行われる。そしてステップ２０５が実行され、撮影動作は終了する。
【００２７】
以上のように図２に示す通常の撮影モードでは、ステップ１０３における長秒ＮＲの要否は、撮像素子１６に対する露光時間と、撮像素子１６の感度と、撮像素子１６の温度とに基づいて判定される。これに対して図３に示すバルブ撮影モードでは、ステップ２０４における長秒ＮＲの要否は、撮像素子１６に対する露光時間のみに基づいて判定される。
【００２８】
長秒ＮＲの必要性を決定する要因は露光時間が最も支配的であり、撮像素子１６の感度と温度の優先順位は露光時間よりも低い。長秒ＮＲの必要性は例えばテーブルの形式でメモリ等に記憶される。このテーブルの内容は、例えば露光時間が３２秒を越える撮影では、感度と温度に関係なく長秒ＮＲを実行するが、露光時間が３０秒よりも短い場合、感度が同じであれば、温度が高くなるほど長秒ＮＲを実行する傾向が強くなるように作成されている。
【００２９】
以上のように第１の実施形態では、長秒ＮＲの実行時すなわち暗露光時、絞り１３の開度を最小絞りに設定しているので、カメラの外から光が入ってきても、この光の大部分は絞り１３によって遮断され、閉塞状態にあるシャッタ幕１５から撮像素子１６に漏れ込むことが低減される。このような効果は特に、ミラーレス型カメラにおいて顕著であり、長時間露光における撮影画像の画質を大幅が向上する。
【００３０】
図４は第２の実施形態における通常の撮影モードの制御ルーチンを示すフローチャートである。ステップ３０１では操作部材３２により、撮像素子１６の感度、シャッタスピード（Ｔｖ）等の撮影条件が設定され、シャッタボタンが全押しされるとステップ３０２において撮影が開始される。ステップ３０３では、各種撮影条件により長秒ＮＲが必要か否か判定される。ステップ３０３において長秒ＮＲが不要であると判定されたとき、ステップ３０４において本露光のみが行われる。ステップ３０５では、撮像素子１６から画像信号が出力され、ＤＳＰ４１において画像処理が施されて撮影動作は終了する。
【００３１】
ステップ３０３において長秒ＮＲが必要であると判定されたとき、ステップ３０６において撮像素子１６の感度が所定値（例えばＩＳＯ１６００）を越えているか否かが判定される。撮像素子１６の感度が所定値以下である場合、つまり感度が相対的に低い場合、撮像素子１６に生じる暗電流は比較的小さいと見做され、ステップ３０７において、本露光が行われた後、絞り１３の開度を維持したまま暗露光が実行される。ステップ３０８では、ＤＳＰ４１において、本露光の画像データから暗露光の画像データが減算される。次いでステップ３０５が実行され、撮影動作は終了する。
【００３２】
ステップ３０６において撮像素子１６の感度が所定値を越えていると判定された場合、ステップ３０９へ進み、本露光が行われた後、絞り１３の開度が最小絞りに設定され、暗露光が行われる。そしてステップ３０８、３０５が実行され、撮影動作は終了する。第１の実施形態と同様に、暗露光の時間は本露光と同じ長さであってもよいが、本露光よりも短い時間に定め、演算により、本露光の露光時間に相当するノイズ成分を求めてもよい。
【００３３】
図５は第２の実施形態におけるバルブ撮影モードの制御ルーチンを示すフローチャートである。ステップ４０１では操作部材３２により、撮像素子１６の感度が設定され、シャッタボタンが全押しされるとステップ４０２において撮影すなわち本露光が開始される。シャッタボタンが解放されるとステップ４０３が実行されて本露光は終了する。ステップ４０４では、各種撮影条件（すなわち本露光における露光時間）により長秒ＮＲが必要であるか否か判定される。露光時間が相対的に短く、長秒ＮＲが不要であると判定された場合、ステップ４０５が実行されて撮像素子１６から画像信号が出力され、ＤＳＰ４１において画像処理が施されて撮影動作は終了する。
【００３４】
ステップ４０４において長秒ＮＲが必要であると判定された場合、ステップ４０６へ進み、撮像素子１６の感度が所定値（例えばＩＳＯ１６００）を越えているか否かが判定される。撮像素子１６の感度が所定値以下である場合、撮像素子１６に生じる暗電流は比較的小さいと見做され、ステップ４０７において、本露光の絞り１３の開度を維持したまま暗露光が実行される。次いでステップ４０８、４０５が実行され、撮影動作は終了する。
【００３５】
ステップ４０６において撮像素子１６の感度が所定値を越えていると判定された場合、ステップ４０９へ絞り１３の開度が最小絞りに設定され、暗露光が行われる。この間に撮像素子１６に発生する画像信号が検出されてＤＳＰ４１に出力される。次いでステップ４０８、４０５が実行され、撮影動作は終了する。
【００３６】
以上のように第２の実施形態では、長秒ＮＲを行う場合に、ステップ３０６、４０６において撮像素子１６の感度の大きさをチェックする。そして、撮像素子１６の感度が相対的に高いとき、シャッタ幕１５から漏れ込む光量が撮像素子１６に生じる暗電流に与える影響、つまり画質に与える影響が大きいと判断されて、絞り１３の開度が最小絞りに定められる。換言すれば、撮像素子１６の感度が相対的に低いときには絞り１３の開度を本露光と同じにするため、絞り１３を駆動する頻度を減らすことができる。その他の作用効果は第１の実施形態と同じである。
【００３７】
図６は第３の実施形態における通常の撮影モードの制御ルーチンを示すフローチャートである。ステップ５０１〜５０５は図４に示す第２の実施形態におけるステップ３０１〜３０５と同様である。
【００３８】
ステップ５０３において長秒ＮＲが必要であると判定されたとき、ステップ５０６において分割露光が必要であるか否か判定される。分割露光は、撮像素子１６に対する露光を、電子制御により時間的に分割して実行するものである。例えば１回の露光時間を１０秒に定め、１回の露光が完了する度に信号電荷を撮像素子１６から出力するようにする。
【００３９】
分割露光の必要性は、撮像素子１６に対する露光時間と、撮像素子１６の感度と、撮像素子１６の温度とに基づいて判定される。例えば、感度と温度を含む所定の演算式から露光時間の閾値を定め、分割露光が必要であるか否かを判定することができる。
【００４０】
ステップ５０６において分割露光が不要であると判定された場合、ステップ５０７において、本露光が行われた後、絞り１３の開度を維持したまま暗露光が実行される。ステップ５０８では、ＤＳＰ４１において、本露光の画像データから暗露光の画像データが減算される。次いでステップ５０５が実行され、撮影動作は終了する。
【００４１】
ステップ５０６において分割露光が必要であると判定された場合、ステップ５１１へ進む。ステップ５１１では、まず本露光が分割露光により実行される。その後、本露光における分割露光の回数と同じ回数だけ、暗露光が時間的に分割して実行されるが、ステップ５１１では、暗露光の分割露光は１回だけ行われる。この暗露光の分割露光の時間は本露光の分割露光の時間よりも短く、演算により、本露光における１回の分割露光に対応した画像データ（ノイズ成分）が求められる。ステップ５１２では、ステップ５１１において実行された、暗露光の１回目の分割露光に対応する画像データがＤＳＰ４１においてチェックされ、撮像素子１６において光の漏れ込みがあったか否か判定される。具体的には、画素値が所定の閾値を越えた画素の数が所定値よりも多いとき、光の漏れ込みがあったと判定される。
【００４２】
ステップ５１２において光の漏れ込みがなかったと判定された場合、ステップ５１３が実行され、本露光における分割露光の回数と一致するまで、暗露光の分割露光が実行される。そしてステップ５０８において、本露光の画像データから暗露光の画像データが減算されるが、この減算は対応する画像データ同士に対して行われる。例えば本露光の２回目の分割露光の画像データから暗露光の２回目の分割露光の画像データが減算される。次いでステップ５０５が実行され、撮影動作は終了する。
【００４３】
ステップ５１２において光の漏れ込みがあったと判定された場合、ステップ５１４が実行され、暗露光の２回目以降の分割露光において絞り１３の開度が最小絞りに設定される。そしてステップ５１３、５０８、５０５の順に処理が実行され、撮影動作は終了する。
【００４４】
図７は第３の実施形態におけるバルブ撮影モードの制御ルーチンを示すフローチャートである。ステップ６０１では、操作部材３２により、撮像素子１６の感度が設定され、シャッタボタンが全押しされると、ステップ６０２において撮影が開始される。ステップ６０３では露光時間が分割露光の必要時間を越えたか否か判定される。第２の実施形態におけるステップ５０６との違いは、露光時間のみに基づいて分割露光の要否を判定する点である。この判定の基準値は例えば３０秒である。露光時間が基準値以下であるとき、ステップ６０４へ進み、本露光が終了したか否か判定される。本露光が終了していないとき、ステップ６０３へ戻る。
【００４５】
すなわちバルブ撮影が行われている間、ステップ６０３、６０４が繰り返し実行され、ステップ６０４において本露光が終了したと判定されるとステップ６０５へ進み、各種撮影条件により、長秒ＮＲが必要であるか否か判定される。長秒ＮＲが不要であると判定された場合、ステップ６０６において画像信号が撮像素子１６から出力され、ＤＳＰ４１において画像処理が施されて撮影動作は終了する。
【００４６】
ステップ６０５において、露光時間、感度、温度等の各種撮影条件により長秒ＮＲが必要であると判定された場合、ステップ６０７において、本露光の絞り１３の開度を維持したまま暗露光が実行される。次いでステップ６０８、６０６が実行され、撮影動作は終了する。
【００４７】
ステップ６０３において露光時間が基準値を越えたと判定されたとき、ステップ６１１へ進み、分割露光が開始される。すなわち本露光が継続され、シャッタボタンが押されている間ステップ６１１は継続して実行される。シャッタボタンが解放されると、ステップ６１２へ進み、分割露光による暗露光が開始される。すなわちバルブ撮影モードにおいて分割露光が必要である場合、必ず長秒ＮＲが行われる。またバルブ撮影モードにおける暗露光は、図６のステップ５１１と同様に、本露光における分割露光の回数と同じ回数だけ実行されるが、ステップ６１２では、暗露光の分割露光は１回だけ行われる。暗露光の分割露光の時間は本露光よりも短く、暗露光の画像データはステップ５１１と同様に演算により求められる。
【００４８】
ステップ６１３では、ステップ６１２において実行された、暗露光の１回目の分割露光に対応する画像データがＤＳＰ４１においてチェックされ、ステップ５１２と同じ手法により、撮像素子１６において光の漏れ込みがあったか否か判定される。ステップ６１３において光の漏れ込みがなかったと判定された場合、ステップ６１４において、本露光における分割露光の回数と一致するまで、暗露光の分割露光が実行される。そしてステップ６０８、６０６の順に処理が実行され、撮影動作は終了する。
【００４９】
ステップ６１３において光の漏れ込みがあったと判定された場合、ステップ６１５が実行され、暗露光の２回目以降の分割露光において絞り１３の開度が最小絞りに設定される。そしてステップ６１４、６０８、６０６の順に処理が実行され、撮影動作は終了する。
【００５０】
以上のように第３の実施形態によっても、第１および第２の実施形態と同様に、撮像素子１６に対する光の漏れ込みを抑えることができ、最終的に得られる撮影画像の画質を向上させることができる。なおステップ５１２、６１３では、暗露光の１回目の分割露光における光の漏れ込みの判定結果に基づいて、絞り１３の開度を最小絞りにするか否かを決定しているが、光の漏れ込みの有無に関係なく、絞り１３の開度を最小絞りに定めてもよい。またステップ５１３、６１４では、暗露光の１回目の分割露光による画像データを利用することを前提としているが、光の漏れ込みがあった場合には１回目の分割露光の画像データを破棄し、絞り１３の開度を最小絞りに設定して、１回目の分割露光の画像データを取り直してもよい。
【００５１】
第１〜第３の実施形態では、暗露光時の絞り１３の開度を最小絞りに設定しているが、本発明はこれに限定されない。例えば、本露光における絞り１３の開口面積の２分の１以下にしてもよく、あるいは本露光における開度よりも縮小するように設定してもよい。
【符号の説明】
【００５２】
１５  シャッタ幕
１６  撮像素子
【図１】
0005957925.tif 000002
【図２】
0005957925.tif 000003
【図３】
0005957925.tif 000004
【図４】
0005957925.tif 000005
【図５】
0005957925.tif 000006
【図６】
0005957925.tif 000007
【図７】
0005957925.tif 000008